(57)【要約】【課題】乳幼児用の机・椅子セットとして用いるのに適した安価なダンボール製の机・椅子の組立セットを提案すること。【解決手段】学習机・椅子の組立セット１は、ダンボール製の学習机組立用のパーツ２と、椅子組立用のパーツ４を備えている。パーツ２として折り曲げ板２１、天板２３、天板補強板２５、中敷板２７が含まれ、パーツ４として折り曲げ板４１、座板４３、支持板４５が含まれている。各折り曲げ板２１、４１をコの字状に折り曲げて、残りのパーツを組み付けることにより、簡単に学習机６、椅子８を組み立てることができる。安価で、落書きも自由にできる乳幼児用の学習机、椅子を提供できる。【選択図】図１
2006223702.tif 000002
【特許請求の範囲】
【請求項１】
机を、ダンボール製の複数枚のパーツから組み立てるための机組立セットであって、
パーツとして、折り曲げ板と、天板と、天板補強板と、中敷板とを有しており、
前記折り曲げ板は、矩形の幕板部分と、この幕板部分の両側に連続している左右の矩形の側板部分とを備え、前記幕板部分と左右の各側板部分の境界には同一方向に所定の角度に折り曲げるための折り目が付いており、
前記幕板部分の上端縁、および左右の側板部分の上端縁からは、それぞれ、少なくとも一つの差し込み・折り曲げ用フラップが突出しており、
前記幕板部分の上端縁に近い部位、および、左右の前記側板部分のそれぞれにおける上端縁に近い部分には、これらの上端縁に沿って延びる中敷板差込溝がそれぞれ形成されており、
前記天板補強板には、前記幕板部分の両側の前記側板部分を前記折り目に沿って所定角度に折り曲げた状態において、これらの上端縁に形成されている各差し込み・折り曲げ用フラップを差し通すことのできる開口部が形成されており、
これらの開口部のそれぞれは、裏面側の部分が前記差し込み・折り曲げ用フラップを差し通すことのできる細幅開口部分とされ、表面側の部分が、前記細幅開口部分から上方に突出している前記差し込み・折り曲げ用フラップを直角に折り曲げて収納できる深さおよび広さの広幅開口部分とされており、
前記中敷板の外周縁には、前記幕板部分の両側の前記側板部分を前記折り目に沿って所定角度に折り曲げた状態において、これらに形成されている各中敷板差込溝に差し込み可能な差し込み用フラップが形成されており、
前記折り曲げ板を前記折り目に沿って所定角度に折り曲げ、前記中敷板の差し込み用フラップを前記幕板部分および左右の前記側板部分の各中敷板差込溝に差し込み、前記天板補強板を折り曲げ板の上端縁に乗せて各開口部に裏面側から各差し込み・折り曲げ用フラップを差し通し、差し通された各差し込み・折り曲げ用フラップを折り曲げて各広幅開口部分に収納して接着固定し、しかる後に、当該天板補強板の表面に前記天板を乗せて接着固定することにより組み立てられるダンボール製の机の組立セット。
【請求項２】
請求項１において、
前記折り曲げ板は、
左右対称の形状をした左側折り曲げ板および右側折り曲げ板と、
少なくとも一枚の幕板補強板と、
少なくとも一枚の右側板補強板および、少なくとも一枚の左側板補強板とから構成されており、
前記左側折り曲げ板は、前記幕板部分の左側半分に対応する形状の左側幕板部分と、この外側縁に連続している第１左側板部分と、この外側縁に連続している第２左側板部分とを備えており、
前記第１左側板部分の内側表面に前記左側板補強板が積層接着された状態で、前記第２左側板部分が、前記左側補強板を包み込むように折り込まれて、当該左側板補強板の内側表面に積層接着されており、
前記右側折り曲げ板も同様に、前記幕板部分の右側半分に対応する形状の右側幕板部分と、この外側縁に連続している第１右側板部分と、この外側縁に連続している第２右板部分とを備えており、
前記第１右側板部分の内側表面に前記右側板補強板が積層接着された状態で、前記第２右側板部分が、前記右側補強板を包み込むように折り込まれて、当該右側板補強板の内側表面に積層接着されており、
前記左側折り曲げ板および右側折り曲げ板は、それらの内側縁を突き合せた状態で、それらの左側幕板部分および右側幕板部分の内側表面に、前記幕板補強板が積層接着されて、連結されていることを特徴とするダンボール製の机の組立セット。
【請求項３】
請求項２において、
前記左側折り曲げ板および右側折り曲げ板に対して、前記左側板補強板、前記右側板補強板、前記幕板補強板は、それらのダンボール素材の波目の方向が直交する方向となるように積層接着されていることを特徴とするダンボール製の机の組立セット。
【請求項４】
椅子を、ダンボール製の複数枚のパーツから組み立てるための椅子の組立セットであって、
パーツとして、折り曲げ板と、座板と、この座板を支持するための支持板とを有しており、
前記折り曲げ板は、背板部分と、この背板部分の左側縁に連続している第１左側板部分と、この第１左側板部分に連続している第２左側板部分と、前記背板部分の右側縁に連続している第１右側板部分と、この第１右側板部分に連続して第２右側板部分とを備えており、
前記背板部分の下端縁の両端近傍位置には、下端縁から上方に切り込まれた左側差し込み溝および右側差し込み溝が形成されており、
前記背板部分と前記第１左側板部分の間、および前記背板部分と前記第１右側板部分の間には、これら第１左側板部分および第１右側板部分をそれらの内側表面の側に折り曲げ可能な折り目が形成されており、
前記第１および第２左側板部分の間には、第２左側板部分を一定の間隔で第１左側板部分の内側表面に対峙する状態となるように折り畳み可能な折り畳み部が形成されており、
前記第１および第２右側板部分の間には、第２右側板部分を一定の間隔で第１右側板部分の内側表面に対峙する状態となるように折り畳み可能な折り畳み部が形成されており、
前記第２左側板部分の上端縁には下方に切り込まれた左側差し込み溝が形成され、その左側縁からは、背板部分に形成されている左側差し込み溝に差し込み可能な左側差し込み部が突出しており、
前記第２右側板部分の上端縁には下方に切り込まれた右側差し込み溝が形成され、その右側縁からは、背板部分に形成されている右側差し込み溝に差し込み可能な右側差し込み部が突出しており、
前記支持板は、矩形の天板部分と、この天板部分の左右の縁に連続していると共に、天板部分の裏面側に直角に折り曲げ可能な矩形の左側折り曲げ部分および矩形の右側折り曲げ部分と、天板部分の後側の縁に連続していると共に、天板部分の裏面側に直角に矩形の後側折り曲げ部分とを備えており、
後側折り曲げ部分の左右の縁は、天板部分に連続する部分が広幅とされ、それ以外の部分が狭幅とされ、広幅部分の左右の縁部分は、第２左側板部分および第２右側板部分に形成されている左側差し込み溝および右側差し込み溝にそれぞれ差し込み可能であり、
折り曲げ板を、その背板部分に対して両側の第１左側板部分および第２右側板部分を所定の角度に折り曲げ、第２左側板部分および第２右側板部分をそれぞれ第１左側板部分および第１右側板部分に対峙するように折り畳み、背板の左側および右側差し込み溝に、第２左側板部分および第２右側板部分の差し込み部を前方から差し込み固定し、
支持板を、その天板部分に対して左右の折り曲げ部分および後側折り曲げ部分を直角に折り曲げた状態とし、
折り曲げた左右の折り曲げ部分を、折り畳まれた状態の第１および第２左側板部分の間、および第１および第２右側板部分の間に上方からから差し込み、同時に、折り曲げた後側板部分の左右の縁部分を、それぞれ第２左側板部分および第２右側板部分に形成されている左側差し込み溝および右側差し込み溝に差し込むことにより、当該支持板を折り曲げた折り曲げ板に取り付け、
次に、支持板の天板部分に座板を乗せて接着固定することにより組み立てられるダンボール製の椅子の組立セット。
【請求項５】
請求項４において、
折り曲げ板の背板部分、第１左側板部分、第２左側板部分、第１右側板部分および第２右側板部分の内側表面には、それぞれに対応する形状の背板補強板、第１左側板補強板、第２左側板補強板、第１右側板補強板および第２右側板補強板が、それぞれ接着固定されており、
各補強板のダンボール素材の波目の方向が、折り曲げ板の波目の方向に対して直交するように設定されていることを特徴とするダンボール製の椅子の組立セット。
【請求項６】
請求項４または５において、
前記座板は、矩形のコア板を包み込む状態で矩形の板が折り曲げられた構成となっていることを特徴とするダンボール製の椅子の組立セット。
【請求項７】
請求項１ないし３のうちのいずれかの項に記載の机セットと、請求項４ないし６のうちのいずれかの項に記載の椅子セットとの組み合わせからなるダンボール製の机・椅子の組立セット。
【発明の詳細な説明】
【技術分野】
【０００１】
本発明は、机および椅子を簡単に組み立てることができる組立セットに関し、特に、乳幼児などに適した廉価なダンボール製の机・椅子の組立セットに関するものである。
【背景技術】
【０００２】
乳幼児などが使用する学習机・椅子としては、各種のものが提案されているが、基本的には、小学生などが使用するものを一回り小さくした構成のものが一般的である。
【発明の開示】
【発明が解決しようとする課題】
【０００３】
しかしながら、乳幼児などが使用する学習机や椅子は、使用期間が短く、落書きなどによって汚れるので、安価で使い捨てできることが望ましい。
【０００４】
本発明の課題は、このような点に鑑みて、特に乳幼児用の机・椅子セットとして用いるのに適したダンボール製の机・椅子の組立セットを提案することにある。
【課題を解決するための手段】
【０００５】
上記の課題を解決するために、本発明による、ダンボール製の複数枚のパーツから組み立てられる机の組立セットは、パーツとして、折り曲げ板と、天板と、天板補強板と、中敷板とを有している。
【０００６】
折り曲げ板は、矩形の幕板部分と、この幕板部分の両側に連続している左右の矩形の側板部分とを備え、幕板部分と左右の各側板部分の境界には同一方向に所定の角度に折り曲げるための折り目が付いている。また、幕板部分の上端縁、および左右の側板部分の上端縁からは、それぞれ、少なくとも一つの差し込み・折り曲げ用フラップが突出しており、幕板部分の上端縁に近い部位、および、左右の側板部分のそれぞれにおける上端縁に近い部分には、これらの上端縁に沿って延びる中敷板差込溝がそれぞれ形成されている。
【０００７】
また、天板補強板には、幕板部分の両側の側板部分を折り目に沿って所定角度に折り曲げた状態において、これらの上端縁に形成されている各差し込み・折り曲げ用フラップを差し通すことのできる開口部が形成されている。これらの開口部のそれぞれは、裏面側の部分が差し込み・折り曲げ用フラップを差し通すことのできる細幅開口部分とされ、表面側の部分が、細幅開口部分から上方に突出している差し込み・折り曲げ用フラップを直角に折り曲げて収納できる深さおよび広さの広幅開口部分とされている。
【０００８】
さらに、中敷板の外周縁には、幕板部分の両側の前記側板部分を前記折り目に沿って所定角度に折り曲げた状態において、これらに形成されている各中敷板差込溝に差し込み可能な差し込み用フラップが形成されている。
【０００９】
これらのパーツは次のように組み立てることができる。まず、折り曲げ板を折り目に沿って所定角度に折り曲げる。次に、中敷板の差し込み用フラップを幕板部分および左右の側板部分の各中敷板差込溝に差し込む。この後は、天板補強板を折り曲げ板の上端縁に乗せて各開口部に裏面側から各差し込み・折り曲げ用フラップを差し通し、差し通された各差し込み・折り曲げ用フラップを折り曲げて各広幅開口部分に収納して接着固定する。最後に、当該天板補強板の表面に天板を乗せて接着固定する。
【００１０】
ここで、上記の折り曲げ板は、左右対称の形状をした左側折り曲げ板および右側折り曲げ板と、少なくとも一枚の幕板補強板と、少なくとも一枚の右側板補強板および、少なくとも一枚の左側板補強板とから構成されたものとすることができる。
【００１１】
この場合、左側折り曲げ板を、幕板部分の左側半分に対応する形状の左側幕板部分と、この外側縁に連続している第１左側板部分と、この外側縁に連続している第２左側板部分とを備えた構成とし、第１左側板部分の内側表面に左側板補強板が積層接着された状態で、第２左側板部分を、左側補強板を包み込むように折り畳み、当該左側板補強板の内側表面に積層接着すればよい。
【００１２】
同様に、右側折り曲げ板も、幕板部分の右側半分に対応する形状の右側幕板部分と、この外側縁に連続している第１右側板部分と、この外側縁に連続している第２右側板部分とを備えた構成とし、第１右側板部分の内側表面に右側板補強板が積層接着された状態で、第２右側板部分を、右側補強板を包み込むように折り畳み、当該右側板補強板の内側表面に積層接着すればよい。
【００１３】
そして、左側折り曲げ板および右側折り曲げ板を、それらの内側縁を突き合せた状態で、それらの左側幕板部分および右側幕板部分の内側表面に、前記幕板補強板を積層接着して連結すれば、一枚の折り曲げ板が構成される。
【００１４】
また、強度を高めるためには、左側折り曲げ板および右側折り曲げ板に対して、左側板補強板、右側板補強板、幕板補強板のダンボール素材の波目の方向が直交する方向となるように、これらを積層接着することが望ましい。
【００１５】
次に、本発明によるダンボール製の複数枚のパーツから組み立てられる椅子の組立セットは、パーツとして、折り曲げ板と、座板と、この座板を支持するための支持板とを有している。
【００１６】
折り曲げ板は、背板部分と、この背板部分の左側縁に連続している第１左側板部分と、この第１左側板部分に連続している第２左側板部分と、前記背板部分の右側縁に連続している第１右側板部分と、この第１右側板部分に連続して第２右側板部分とを備えている。
【００１７】
背板部分の下端縁の両端近傍位置には、下端縁から上方に切り込まれた左側差し込み溝および右側差し込み溝が形成されている。また、背板部分と第１左側板部分の間、および背板部分と第１右側板部分の間には、これら第１左側板部分および第１右側板部分をそれらの内側表面の側に折り曲げ可能な折り目が形成されている。
【００１８】
さらに、第１および第２左側板部分の間には、第２左側板部分を一定の間隔で第１左側板部分の内側表面に対峙する状態となるように折り畳み可能な折り畳み部が形成されている。同様に、第１および第２右側板部分の間には、第２右側板部分を一定の間隔で第１右側板部分の内側表面に対峙する状態となるように折り畳み可能な折り畳み部が形成されている。
【００１９】
さらには、第２左側板部分の上端縁には下方に切り込まれた左側差し込み溝が形成され、その左側縁からは、背板部分に形成されている左側差し込み溝に差し込み可能な左側差し込み部が突出している。同様に、第２右側板部分の上端縁には下方に切り込まれた右側差し込み溝が形成され、その右側縁からは、背板部分に形成されている右側差し込み溝に差し込み可能な右側差し込み部が突出している。
【００２０】
支持板は、矩形の天板部分と、この天板部分の左右の縁に連続していると共に、天板部分の裏面側に直角に折り曲げ可能な矩形の左側折り曲げ部分および矩形の右側折り曲げ部分と、天板部分の後側の縁に連続していると共に、天板部分の裏面側に直角に矩形の後側折り曲げ部分とを備えている。後側折り曲げ部分の左右の縁は、天板部分に連続する部分が広幅とされ、それ以外の部分が狭幅とされ、広幅部分の左右の縁部分は、第２左側板部分および第２右側板部分に形成されている左側差し込み溝および右側差し込み溝にそれぞれ差し込み可能となっている。
【００２１】
このようなパーツは次のように組み立てられる。まず、折り曲げ板を、その背板部分に対して両側の第１左側板部分および第２右側板部分を所定の角度に折り曲げ、第２左側板部分および第２右側板部分をそれぞれ第１左側板部分および第１右側板部分に対峙するように折り畳んだ状態にする。また、背板の左側および右側差し込み溝に、第２左側板部分および第２右側板部分の差し込み部を前方から差し込み固定する。
【００２２】
次に、支持板を、その天板部分に対して左右の折り曲げ部分および後側折り曲げ部分を直角に折り曲げた状態とする。この支持板における折り曲げた左右の折り曲げ部分を、折り畳まれた状態の第１および第２左側板部分の間、および第１および第２右側板部分の間に上方からから差し込み、同時に、折り曲げた後側板部分の左右の縁部分を、それぞれ第２左側板部分および第２右側板部分に形成されている左側差し込み溝および右側差し込み溝に差し込む。この結果、当該支持板を折り曲げた折り曲げ板に固定することができる。最後に、支持板の天板部分に座板を乗せて接着固定する。
【００２３】
ここで、強度を高めるためには、折り曲げ板の背板部分、第１左側板部分、第２左側板部分、第１右側板部分および第２右側板部分の内側表面に、それぞれに対応する形状の背板補強板、第１左側板補強板、第２左側板補強板、第１右側板補強板および第２右側板補強板を、それぞれ接着固定しておくことが望ましい。
【００２４】
また、各補強板のダンボール素材の波目の方向が、折り曲げ板の波目の方向に対して直交するように設定しておくことが望ましい。
【００２５】
さらに、座板の強度を高めるためには、矩形のコア板を包み込む状態で矩形の板が折り曲げられた構成のものを用いることが望ましい。
【００２６】
一方、本発明によるダンボール製の机・椅子の組立セットは、上記構成の机の組立セットおよび椅子の組立セットの組み合わせからなることを特徴としている。
【発明の効果】
【００２７】
本発明の机および椅子の組立セットは、ダンボール製の各パーツを折り曲げて組み付けることにより机および椅子が組み立てられる。したがって、使い捨て可能な安価な机および椅子を実現できる。よって、使用期間が短く、落書きなどによって汚れ易い乳幼児用の学習机・椅子として特に適している。
【発明を実施するための最良の形態】
【００２８】
以下に、図面を参照して本発明を適用した乳幼児用の学習机・椅子の組立セットの実施の形態を説明する。
【００２９】
図１は本実施の形態に係る学習机・椅子の組立セットに含まれるパーツを示す部品図であり、図２および３は学習机および椅子の組立手順を示す説明図である。学習机・椅子の組立セット１には、ダンボール製の学習机用パーツ２と椅子用パーツ４が含まれている。机用パーツ２には、折り曲げ板２１、天板２３、天板補強板２５、および中敷板２７が含まれており、これらを図２に示すように組み立てることにより学習机６が得られる。また、椅子用パーツ４には、折り曲げ板４１、座板４３、および、この座板を支持するための支持板４５が含まれており、これらを図３に示すように組み立てることにより椅子８が得られる。
【００３０】
（学習机）
学習机用パーツ２について説明する。まず、折り曲げ板２１は、矩形の幕板部分２１１と、この幕板部分２１１の両側に連続している左右の矩形の側板部分２１２、２１３とを備え、幕板部分２１１と左右の各側板部分２１２、２１３の境界には、それらの内側表面の側に直角に折り曲げるための折り目２１４、２１５が付いている。幕板部分２１１の上端縁、および左右の側板部分２１２、２１３の上端縁からは、それぞれ、二つの差し込み・折り曲げ用フラップ２１６、２１７、２１８が突出している。また、幕板部分２１１の上端縁に近い部位、および、左右の側板部分２１２、２１３のそれぞれにおける上端縁に近い部分には、これらの上端縁に沿って延びる中敷板差込溝２１９、２２０、２２１がそれぞれ形成されている。なお、左右の側板部分２１２、２１３には、学習机６を持ち上げる際に手を掛けるための開口部２２２、２２３が形成されている。本例では、熊の顔の輪郭をした開口部となっている。
【００３１】
天板２３および天板補強板２５は大きさが同一の矩形形状のものであり、その長さは幕板部分２１１の長さよりも大きく、その幅は左右の側板部分２１２、２１３の長さよりも大きい。
【００３２】
天板補強板２５には、幕板部分２１１、左右の側板部分２２２、２２３の上端縁に形成されている各差し込み・折り曲げ用フラップ２１６、２１７、２１８を差し通すことのできる矩形の開口部２５６、２５７、２５８が形成されている。これらの開口部２５６〜２５８のそれぞれは、裏面側の部分が差し込み・折り曲げ用フラップ２１６〜２１８を差し通すことのできる細幅開口部分２５６ａ〜２５８ａとされ、表面側の部分が、細幅開口部分から上方に突出している差し込み・折り曲げ用フラップを直角に折り曲げて収納できる深さおよび広さの広幅開口部分２５６ｂ〜２５８ｂとされている。
【００３３】
次に、中敷板２７は矩形形状のものであり、その長さは幕板部分２１１とほぼ同一であり、その幅は左右の側板部分２１２、２１３とほぼ同一である。中敷板２７の外周縁には、幕板部分２１１、側板部分２１２、２１３に形成されている各中敷板差込溝２１９〜２２１に差し込み可能な差し込み用フラップ２７１、２７２、２７３が形成されている。
【００３４】
（学習机の組立手順）
図２を参照して、これらのパーツの組立手順を説明する。まず、図２(ａ)に示すように、折り曲げ板２１を折り目２１３、２１４に沿ってその内側表面の側に直角に折り曲げる。すなわち、コの字状に折り曲げて自立可能にする。次に、図２(ｂ)に示すように、中敷板２７の差し込み用フラップ２７１〜２７３を幕板部分２１１および左右の側板部分２１２、２１３の各中敷板差込溝２１９〜２２１に差し込む。
【００３５】
この後は、図２(ｃ)に示すように、天板補強板２５をコの字状に折り曲げられている折り曲げ板２１の上端縁に乗せて各開口部２５６〜２５８に裏面側から各差し込み・折り曲げ用フラップ２１６〜２１８を差し通す。そして、差し通された各差し込み・折り曲げ用フラップ２１６〜２１８を折り曲げて各広幅開口部分２５６ｂ〜２５８ｂに収納して接着固定する。最後に、図２(ｄ)に示すように、当該天板補強板２５の表面に天板２３を乗せて位置合わせして、両面テープなどの接着手段により接着固定する。この結果、学習机６が得られる。
【００３６】
（学習机の各パーツの構造）
ここで、図４に示すように、本例の折り曲げ板２１は、左右対称の形状をした左側折り曲げ板３１および右側折り曲げ板３２と、二枚の幕板補強板３３Ａ、３３Ｂと、二枚の左側板補強板３４Ａ、３４Ｂと、二枚の右側板補強板３５Ａ、３５Ｂから構成されている。
【００３７】
左側折り曲げ板３１は、幕板部分２１１の左側半分に対応する形状の左側幕板部分３１１と、この外側縁に連続している第１左側板部分３１２と、この外側縁に連続している第２左側板部分３１３とを備えている。第１左側板部分３１１の内側表面に左側板補強板３４Ａ、３４Ｂが積層接着された状態で、第２左側板部分３１２が、左側補強板３４Ａ、３４Ｂを包み込むように折り畳まれ、内側の左側板補強板３４Ｂの表面に積層接着されている。
【００３８】
同様に、右側折り曲げ板３２も、幕板部分２１１の右側半分に対応する形状の右側幕板部分３２１と、この外側縁に連続している第１右側板部分３２２と、この外側縁に連続している第２右板部分３２３とを備えている。第１右側板部分３２２の内側表面に右側板補強板３５Ａ、３５Ｂが積層接着された状態で、第２右側板部分３２３が、右側補強板３５Ａ、３５Ｂを包み込むように折り畳まれ、内側の右側板補強板３５Ｂの表面に積層接着されている。
【００３９】
そして、左側折り曲げ板３１および右側折り曲げ板３２を、それらの内側縁３１ａ、３２ａを突き合せた状態で、それらの左側幕板部分３１１および右側幕板部分３２１の内側表面に、幕板補強板３３Ａ、３３Ｂが積層接着されている。これにより、双方の折り曲げ板３１、３２が連結されて、一枚構成の折り曲げ板２１が構成されている。
【００４０】
ここで、図４(ａ)において、各パーツに表示してあるように、左側折り曲げ板３１および右側折り曲げ板３２のダンボール素材の波目の方向は横方向となっている。これに対して、左側板補強板３３Ａ、右側板補強板３５Ａ、幕板補強板３３Ａのダンボール素材の波目の方向は縦方向とされている。また、内側の左側板補強板３３Ｂ、右側板補強板３５Ｂ、幕板補強板３３Ｂのダンボール素材の波目の方向は横方向とされている。このように、相互の波目の方向が直交するように各パーツを積層接着することにより、各部分の強度が各方向において強化されている。
【００４１】
次に、図５には、天板２３、天板補強板２５および中敷板２７を示してある。図５(ａ)に示すように、天板２３は一枚のダンボールからなる矩形板である。
【００４２】
図５(ｂ)に示すように、天板補強板２５は、同一形状の二枚の補強板２５Ａ、２５Ｂを積層接着した構成となっている。下側の補強板２５Ｂには狭幅開口部２５６ａ〜２５８ａが形成されており、上側の補強板２５Ａには広幅開口部２５６ｂ〜２５８ｂが形成されている。これらを積層接着した状態においては、広幅開口部２５６ｂ〜２５８ｂの部分が、ダンボール一枚分の深さの矩形の凹部となり、これらに、差し込み・折り曲げ用フラップ２１６〜２１８を収納することにより、天板補強板２５の表面に、天板２３が浮き上がることなく、密接状態で積層できる。また、図５(ａ)、(ｂ)に示すように、最終的に積層される、天板２３、補強板２５Ａ、２５Ｂは、相互に、ダンボール素材の波目が直交するように設定されている。
【００４３】
図５(ｃ)に示すように、中敷板２７も同一形状の二枚の板２７Ａ、２７Ｂが積層接着された構成となっている。この場合においても、ダンボール素材の波目の方向が直交するように積層されている。
【００４４】
（椅子）
次に、椅子用パーツ４について説明する。まず、図１、図６に示すように、折り曲げ板４１は、背板部分４１１と、この背板部分４１１の左側縁に連続している第１左側板部分４１２と、この第１左側板部分に連続している第２左側板部分４１３と、背板部分４１１の右側縁に連続している第１右側板部分４１４と、この第１右側板部分４１４に連続して第２右側板部分４１５とを備えている。
【００４５】
また、この構成の折り曲げ板４１の強度を高めるために、折り曲げ板４１の背板部分４１１、第１左側板部分４１２、第２左側板部分４１３、第１右側板部分４１４および第２右側板部分４１５の内側表面に、それぞれに対応する形状の背板補強板５１、第１左側板補強板５２、第２左側板補強板５３、第１右側板補強板５４および第２右側板補強板５５が、それぞれ積層接着されている。
【００４６】
さらに、折り曲げ板４１のダンボール素材の波目の方向は横方向であるが、各補強板５１〜５５の波目の方向はこれに直交する横方向としてあり、各部分の強度を高めるようにしてある。
【００４７】
背板部分４１１の下端縁の両端近傍位置には、下端縁から上方に切り込まれた左側差し込み溝４１６および右側差し込み溝４１７が形成されている。本例では、背板補強板５１にこれらの溝が形成されている。また、背板部分４１１と第１左側板部分４１２の間、および背板部分４１１と第１右側板部分４１４の間には、これら第１左側板部分４１２および第１右側板部分４１４をそれらの内側表面の側に直角に折り曲げ可能な折り目４１８、４１９が形成されている。
【００４８】
さらに、第１および第２左側板部分４１２、４１３の間には、第２左側板部分４１３を一定の間隔で第１左側板部分４１２の内側表面に対峙する状態となるように折り畳み可能な折り畳み部４２１が形成されている。同様に、第１および第２右側板部分４１４、４１５の間には、第２右側板部分４１５を一定の間隔で第１右側板部分４１４の内側表面に対峙する状態となるように折り畳み可能な折り畳み部４２２が形成されている。
【００４９】
さらには、第２左側板部分４１３の上端縁には下方に切り込まれた左側差し込み溝４２３が形成され、その左側縁からは、背板部分４１１に形成されている左側差し込み溝４１６に差し込み可能な左側差し込み部４２５が突出している。同様に、第２右側板部分４１５の上端縁には下方に切り込まれた右側差し込み溝４２４が形成され、その右側縁からは、背板部分４１１に形成されている右側差し込み溝４１７に差し込み可能な右側差し込み部４２６が突出している。本例では、各補強板５３、５５にも、これらの溝４２３、４２４および差し込み部４２５、４２６が形成されている。
【００５０】
この構成の折り曲げ板４１は、図１、図６(ｂ)に示すように、左右の第２左側板部分４１３および第２右側板部分４１５が、それぞれ、折り畳み部４２１、４２２を中心として、内側に折り畳まれた状態となっている。
【００５１】
なお、折り曲げ板４１の左右の側板部分４１２、４１４およびそれらの補強板５２、５４には、持ち運び時に手を掛けるための開口部４１２ａ、４１４ａ、５２ａ、５４ａが形成されている。また、背板４１１およびその補強板５１には、装飾用の熊の顔の輪郭形状をした開口部４１１ａ、５１ａが形成されている。
【００５２】
次に、座板４３は、図７(ａ)に示すように、厚い矩形のコア板４３Ａを包み込むように、細長い矩形の表面板４３Ｂを折り曲げ、この状態で相互の接着接合した構造となっている。コア板４３Ａは面外剛性の高い構造のダンボール素材から形成されている。
【００５３】
一方、支持板４５は、図１および図７(ｂ)に示すように、矩形の天板部分４５１と、この天板部分４５１の左右の縁に連続していると共に、天板部分４５１の裏面側に直角に折り曲げ可能な矩形の左側折り曲げ部分４５２および矩形の右側折り曲げ部分４５３と、天板部分４５１の後側の縁に連続していると共に、天板部分４５１の裏面側に直角に矩形の後側折り曲げ部分４５４とを備えている。後側折り曲げ部分４５４の左右の縁は、天板部分４５１に連続する部分が広幅とされ、それ以外の部分が狭幅とされ、広幅部分の左右の縁部分４５５、４５６は、第２左側板部分および第２右側板部分に形成されている左側差し込み溝４２３および右側差し込み溝４２４にそれぞれ差し込み可能となっている。
【００５４】
（椅子の組立手順）
図３を参照して、椅子８の組立手順を説明する。まず、図３(ａ)に示すように、折り曲げ板４１を、その背板部分４１１に対して両側の第１左側板部分４１２および第２右側板部分４１４を直角に折り曲げる。さらに、第２左側板部分４１３および第２右側板部分４１５をそれぞれ第１左側板部分４１２および第１右側板部分４１４に対峙するように折り畳んだ状態にする。そして、第２左側板部分４１３および補強板５３、第２右側板部分４１５および補強板５５のそれぞれに形成されている差し込み部４２５、４２６を、背板補強板５１に形成されている差し込み溝４１６、４１７に前側から差し込み、固定する。
【００５５】
次に、図３(ｂ)に示すように、支持板４５を、その天板部分４５１に対して左右の折り曲げ部分４５２、４５３および後側折り曲げ部分４５４を直角に折り曲げた状態とする。
【００５６】
この後は、図３(ｃ)に示すように、支持板４５における折り曲げた左右の折り曲げ部分４５２、４５３を、折り畳まれた状態の第１および第２左側板部分４１２、４１３の間、および第１および第２右側板部分４１４、４１５の間に上方から差し込む。同時に、折り曲げた後側板部分４５４の左右の縁部分４５５、４５６を、それぞれ第２左側板部分４１３および補強板５３、並びに、第２右側板部分４１５および補強板５４にそれぞれ形成されている左側差し込み溝４２３および右側差し込み溝４２４に差し込む。この結果、当該支持板４５がコの字状に折り曲げられた折り曲げ板４１に固定される。
【００５７】
最後に、図３(ｄ)に示すように、支持板４５の天板部分４５１に座板４３を乗せて位置合わせした後に、接着固定する。これにより、椅子８が得られる。
【図面の簡単な説明】
【００５８】
【図１】本発明を適用した学習机・椅子の組立セットを示す部品図である。
【図２】学習机の組立手順を示す説明図である。
【図３】椅子の組立手順を示す説明図である。
【図４】学習机のパーツの一つである折り曲げ板の構成を示す説明図である。
【図５】学習机のパーツである天板、天板補強板および中敷板を示す説明図である。
【図６】椅子のパーツである折り曲げ板の構成を示す説明図である。
【図７】椅子のパーツである座板および支持板を示す説明図である。
【符号の説明】
【００５９】
１  学習机・椅子の組立セット、２  学習机用パーツ、４  椅子用パーツ、２１  折り曲げ板、２１１  幕板部分、２１２，２３１  側板部分、２１４，２１５  折り目、２１６〜２１８  差し込み・折り曲げ用フラップ、２１９〜２２１  中敷板差し込み溝、２３  天板、２５  天板補強板、２５６〜２５８  開口部、２５６ａ〜２５８ａ  狭幅開口部、２５６ｂ〜２５８ｂ  広幅開口部、２７１〜２７３  差し込み用フラップ、３１，３２  折り曲げ板、３３Ａ，３３Ｂ，３４Ａ，３４Ｂ，３５Ａ，３５Ｂ  補強板、４１  折り曲げ板、４１１  背板部分、４１２，４１３  左側板部分、４１４，４１５  右側板部分、５１〜５５  補強板、４１６，４１７  差し込み溝、４１８，４１９  折り目、４２１，４２２  折り畳み部、４２３，４２４  差し込み溝
【図１】
2006223702.tif 000003
【図２】
2006223702.tif 000004
【図３】
2006223702.tif 000005
【図４】
2006223702.tif 000006
【図５】
2006223702.tif 000007
【図６】
2006223702.tif 000008
【図７】
2006223702.tif 000009